(57)【要約】【課題】記憶された番組データが編集後か否かをより容易に区別できる番組データ記録装置を提供する。【解決手段】番組データをＨＤＤ６に記憶するデジタル放送記録装置１００に、ＣＰＵ１１に、ＨＤＤ６に記憶された番組データを編集させる編集プログラム１３Ｆと、編集された番組データに対応付けて完了フラグを付加させるフラグ付加プログラム１３Ｇと、入力部８により、ＨＤＤ６に記憶されている番組データのタイトルの一覧表示が指示された場合に、番組データに対応付けて完了フラグが付加されているか否かを判断し、表示装置にＨＤＤ６に記憶されている番組データのタイトルを一覧表示させる際に、完了フラグが付加されている番組データのタイトルとともに編集が完了している旨を示す所定の表示を表示させる一覧表示プログラム１３Ｈと、を備えた。【選択図】図２
2008077710.tif 000002
【特許請求の範囲】
【請求項１】
番組データを記憶媒体に記憶する番組データ記録装置において、
前記記憶媒体に記憶された番組データの削除開始位置と削除終了位置とを指定する指定手段と、
前記指定手段に指定された番組データの前記削除開始位置から前記削除終了位置までを削除することにより番組データを編集する編集手段と、
前記編集手段による編集が完了した番組データに対応付けて編集完了情報を付加し、前記編集手段による編集が完了していない番組データに対応付けて編集未完情報を付加する付加手段と、
前記記憶媒体に記憶されている番組データのタイトルの一覧表示を指示する指示手段と、
前記指示手段により、前記記憶媒体に記憶されている番組データのタイトルの一覧表示が指示された場合に、番組データに対応付けて前記編集完了情報と前記編集未完情報とのどちらが付加されているか否かを判断し、表示部に前記記憶媒体に記憶されている番組データのタイトルを一覧表示させる際に、前記編集完了情報が付加されている番組データのタイトルとともに編集が完了している旨を示す所定の編集完了表示を表示させるとともに、前記編集未完情報が付加されている番組データのタイトルとともに編集が未完了である旨を示す所定の編集未完表示を表示させる表示制御手段と、
前記番組データのタイトルと前記指定手段により指定された前記削除開始位置及び前記削除終了位置とを対応付けて記憶する削除位置記憶手段と、
一の番組データの編集を指示する編集指示手段と、
前記編集指示手段により、前記一の番組データの編集が指示された場合に、前記削除位置記憶手段を検索して、当該一の番組データのタイトルと同一のタイトルに対応する前記削除開始位置及び前記削除終了位置が記憶されているか否かを判断する記憶判断手段と、
を備え、
前記編集手段は、前記記憶判断手段により、前記削除位置記憶手段に、当該一の番組データのタイトルと同一のタイトルに対応する前記削除開始位置及び前記削除終了位置が記憶されていると判断された場合に、当該一の番組データの前記削除位置記憶手段に記憶された削除開始位置に相当する位置から前記削除位置記憶手段に記憶された削除終了位置に相当する位置までを削除することにより当該番組データを編集することを特徴とする番組データ記録装置。
【請求項２】
番組データを記憶媒体に記憶する番組データ記録装置において、
前記記憶媒体に記憶された番組データを編集する編集手段と、
前記編集手段による編集が完了した番組データに対応付けて編集完了情報を付加する付加手段と、
前記記憶媒体に記憶されている番組データのタイトルの一覧表示を指示する指示手段と、
前記指示手段により、前記記憶媒体に記憶されている番組データのタイトルの一覧表示が指示された場合に、番組データに対応付けて前記編集完了情報が付加されているか否かを判断し、表示部に前記記憶媒体に記憶されている番組データのタイトルを一覧表示させる際に、前記編集完了情報が付加されている番組データのタイトルとともに編集が完了している旨を示す所定の表示を表示させる表示制御手段と、
を備えることを特徴とする番組データ記録装置。
【請求項３】
前記編集手段は、
前記記憶媒体に記憶された番組データの削除開始位置と削除終了位置とを指定する指定手段と、
前記指定手段に指定された番組データの前記削除開始位置から前記削除終了位置までを削除する削除手段と、
を備えることを特徴とする請求項２に記載の番組データ記録装置。
【請求項４】
前記番組データのタイトルと前記指定手段により指定された前記削除開始位置及び前記削除終了位置とを対応付けて記憶する削除位置記憶手段と、
一の番組データの編集を指示する編集指示手段と、
前記編集指示手段により、前記一の番組データの編集が指示された場合に、前記削除位置記憶手段を検索して、当該一の番組データのタイトルと同一のタイトルに対応する前記削除開始位置及び前記削除終了位置が記憶されているか否かを判断する記憶判断手段と、
を備え、
前記編集手段は、前記記憶判断手段により、前記削除位置記憶手段に、当該一の番組データのタイトルと同一のタイトルに対応する前記削除開始位置及び前記削除終了位置が記憶されていると判断された場合に、当該一の番組データの前記削除位置記憶手段に記憶された削除開始位置に相当する位置から前記削除位置記憶手段に記憶された削除終了位置に相当する位置までを削除することにより当該番組データを編集することを特徴とする請求項３に記載の番組データ記録装置。
【発明の詳細な説明】
【技術分野】
【０００１】
本発明は、番組データ記録装置に関する。
【背景技術】
【０００２】
従来、放送に含まれる番組データ（映像データ）をＤＶＤ（Digital  Versatile  Disk）に記憶するテレビ一体型ＤＶＤ装置において、ＤＶＤに記憶された番組データの編集を行うことができるものが知られている（例えば、特許文献１）。そして、このような番組データ記録装置において、ＤＶＤ等の記憶媒体に記憶された番組データの削除編集は、通常、ユーザが当該番組データを視聴しながら、削除する部分を指定し、指定された部分を映像記録編集装置が削除処理することにより行われている。
また、記録再生可能ディスクに記録した番組データのタイトル情報を記憶しておき、ディスクが挿入されていなくても、ディスクに記録した番組データのタイトルを一覧表示できるようにしたディスク編集装置も知られている（例えば、特許文献２）。
また、ＨＤＤ（Hard  Disk  Drive）に番組データを記録し、当該番組データのタイトルを一覧表示する番組データ記録装置において、当該番組データにコピー禁止を示す信号が含まれているか否かを判断し、コピー禁止を示す信号が含まれると判断した場合に、一覧表示における当該番組データのタイトルの表示部分にコピー禁止を示すシンボル符号を表示させるものも知られている（例えば、特許文献３）。
また、光ディスクやＨＤＤ内に記録した番組データの録画開始年月日，録画終了時分，チャンネル番号，画質モード，音質モード，ビットレート，ジャンル情報，タイトル情報等のライブラリ情報を記憶しておき、当該ライブラリ情報を所定の検索条件で検索して一致する映像データを一覧表示させる番組データ記録装置も知られている（例えば、特許文献４）。
また、記録媒体に記録される番組データのタイトルと当該タイトルの番組データの個数とを一覧表示し、当該タイトルが選択された場合に、当該タイトルの番組データのサブタイトルを一覧表示するように構成した番組データ記録装置も知られている（例えば、特許文献５）。
【特許文献１】特開２００４−３１２４０４号公報
【特許文献２】特開２００５−２０３０４９号公報
【特許文献３】特開２００１−００８１５８号公報
【特許文献４】特開２００５−００４９５９号公報
【特許文献５】特開２００３−１１６０８４号公報
【発明の開示】
【発明が解決しようとする課題】
【０００３】
しかしながら、上記特許文献に記載された従来技術においては、ＨＤＤに記憶された番組データが削除等の編集が完了したものか否かがわからないため、削除編集したか否かをいちいち視聴して確認しなければならず、時間がかかってしまうという問題がある。
すなわち、特許文献１の発明は、映像を視聴しながら編集を行うものであるため、上記問題を解決することができない。また、特許文献２−５に記載の発明は、一覧表示に関するものであるため、同様に、上記問題を解決することができない。
【０００４】
本発明の課題は、記憶された番組データが編集後か否かをより容易に区別できる番組データ記録装置を提供することである。
【課題を解決するための手段】
【０００５】
請求項１に記載の発明は、番組データを記憶媒体に記憶する番組データ記録装置において、
前記記憶媒体に記憶された番組データの削除開始位置と削除終了位置とを指定する指定手段と、
前記指定手段に指定された番組データの前記削除開始位置から前記削除終了位置までを削除することにより番組データを編集する編集手段と、
前記編集手段による編集が完了した番組データに対応付けて編集完了情報を付加し、前記編集手段による編集が完了していない番組データに対応付けて編集未完情報を付加する付加手段と、
前記記憶媒体に記憶されている番組データのタイトルの一覧表示を指示する指示手段と、
前記指示手段により、前記記憶媒体に記憶されている番組データのタイトルの一覧表示が指示された場合に、番組データに対応付けて前記編集完了情報と前記編集未完情報とのどちらが付加されているか否かを判断し、表示部に前記記憶媒体に記憶されている番組データのタイトルを一覧表示させる際に、前記編集完了情報が付加されている番組データのタイトルとともに編集が完了している旨を示す所定の編集完了表示を表示させるとともに、前記編集未完情報が付加されている番組データのタイトルとともに編集が未完了である旨を示す所定の編集未完表示を表示させる表示制御手段と、
前記番組データのタイトルと前記指定手段により指定された前記削除開始位置及び前記削除終了位置とを対応付けて記憶する削除位置記憶手段と、
一の番組データの編集を指示する編集指示手段と、
前記編集指示手段により、前記一の番組データの編集が指示された場合に、前記削除位置記憶手段を検索して、当該一の番組データのタイトルと同一のタイトルに対応する前記削除開始位置及び前記削除終了位置が記憶されているか否かを判断する記憶判断手段と、
を備え、
前記編集手段は、前記記憶判断手段により、前記削除位置記憶手段に、当該一の番組データのタイトルと同一のタイトルに対応する前記削除開始位置及び前記削除終了位置が記憶されていると判断された場合に、当該一の番組データの前記削除位置記憶手段に記憶された削除開始位置に相当する位置から前記削除位置記憶手段に記憶された削除終了位置に相当する位置までを削除することにより当該番組データを編集することを特徴としている。
【０００６】
請求項２に記載の発明は、番組データを記憶媒体に記憶する番組データ記録装置において、
前記記憶媒体に記憶された番組データを編集する編集手段と、
前記編集手段による編集が完了した番組データに対応付けて編集完了情報を付加する付加手段と、
前記記憶媒体に記憶されている番組データのタイトルの一覧表示を指示する指示手段と、
前記指示手段により、前記記憶媒体に記憶されている番組データのタイトルの一覧表示が指示された場合に、番組データに対応付けて前記編集完了情報が付加されているか否かを判断し、表示部に前記記憶媒体に記憶されている番組データのタイトルを一覧表示させる際に、前記編集完了情報が付加されている番組データのタイトルとともに編集が完了している旨を示す所定の表示を表示させる表示制御手段と、
を備えることを特徴としている。
【０００７】
請求項３に記載の発明は、請求項２に記載の番組データ記録装置において、
前記編集手段は、
前記記憶媒体に記憶された番組データの削除開始位置と削除終了位置とを指定する指定手段と、
前記指定手段に指定された番組データの前記削除開始位置から前記削除終了位置までを削除する削除手段と、
を備えることを特徴としている。
【０００８】
請求項４に記載の発明は、請求項３に記載の番組データ記録装置において、
前記番組データのタイトルと前記指定手段により指定された前記削除開始位置及び前記削除終了位置とを対応付けて記憶する削除位置記憶手段と、
一の番組データの編集を指示する編集指示手段と、
前記編集指示手段により、前記一の番組データの編集が指示された場合に、前記削除位置記憶手段を検索して、当該一の番組データのタイトルと同一のタイトルに対応する前記削除開始位置及び前記削除終了位置が記憶されているか否かを判断する記憶判断手段と、
を備え、
前記編集手段は、前記記憶判断手段により、前記削除位置記憶手段に、当該一の番組データのタイトルと同一のタイトルに対応する前記削除開始位置及び前記削除終了位置が記憶されていると判断された場合に、当該一の番組データの前記削除位置記憶手段に記憶された削除開始位置に相当する位置から前記削除位置記憶手段に記憶された削除終了位置に相当する位置までを削除することにより当該番組データを編集することを特徴としている。
【発明の効果】
【０００９】
請求項１に記載の発明によれば、指定手段により、記憶媒体に記憶された番組データの削除開始位置と削除終了位置とが指定され、編集手段により、指定手段に指定された番組データの削除開始位置から削除終了位置までが削除されることにより番組データが編集されるので、ユーザは、記憶媒体に記憶された番組データの所望の位置を削除開始位置又は削除終了位置として指定でき、より好適に、記憶媒体に記憶された番組データを編集することができる。
また、付加手段により、編集手段による編集が完了した番組データに対応付けて編集完了情報が付加され、編集手段による編集が完了していない番組データに対応付けて編集未完情報が付加され、指示手段により、記憶媒体に記憶されている番組データのタイトルの一覧表示が指示され、表示制御手段により、指示手段によって、記憶媒体に記憶されている番組データのタイトルの一覧表示が指示された場合に、番組データに対応付けて編集完了情報と編集未完情報とのどちらが付加されているか否かが判断され、表示部に記憶媒体に記憶されている番組データのタイトルを一覧表示させる際に、編集完了情報が付加されている番組データのタイトルとともに編集が完了している旨を示す所定の編集完了表示が表示されるとともに、編集未完情報が付加されている番組データのタイトルとともに編集が未完了である旨を示す所定の編集未完表示が表示されるので、編集したか否かをいちいち視聴して確認せずとも、一覧表示を視認するだけで、番組データが編集後か否かをより容易に区別することができる。
また、削除位置記憶手段により、番組データのタイトルと指定手段により指定された削除開始位置及び削除終了位置とが対応付けられて記憶され、編集指示手段により、一の番組データの編集が指示され、記憶判断手段により、編集指示手段によって、一の番組データの編集が指示された場合に、削除位置記憶手段が検索されて、当該一の番組データのタイトルと同一のタイトルに対応する削除開始位置及び削除終了位置が記憶されているか否かが判断され、編集手段により、記憶判断手段によって、削除位置記憶手段に、当該一の番組データのタイトルと同一のタイトルに対応する削除開始位置及び削除終了位置が記憶されていると判断された場合に、当該一の番組データの削除位置記憶手段に記憶された削除開始位置に相当する位置から削除位置記憶手段に記憶された削除終了位置に相当する位置までが削除されることにより当該番組データが編集されるので、一の番組データのタイトルと同一タイトルの番組データが既に編集されている場合には、当該一の番組データをいちいち視聴せずとも編集することができることとなって、さらに効率よく番組データを編集することができる。
【００１０】
請求項２に記載の発明によれば、編集手段により、記憶媒体に記憶された番組データが編集され、付加手段により、編集手段による編集が完了した番組データに対応付けて編集完了情報が付加され、指示手段により、記憶媒体に記憶されている番組データのタイトルの一覧表示が指示され、表示制御手段により、指示手段によって、記憶媒体に記憶されている番組データのタイトルの一覧表示が指示された場合に、番組データに対応付けて編集完了情報が付加されているか否かが判断され、表示部に記憶媒体に記憶されている番組データのタイトルを一覧表示させる際に、編集完了情報が付加されている番組データのタイトルとともに編集が完了している旨を示す所定の表示が表示されるので、編集したか否かをいちいち視聴して確認せずとも、一覧表示を視認するだけで、番組データが編集後か否かをより容易に区別することができる。
【００１１】
請求項３に記載の発明によれば、請求項２に記載の発明と同様の効果が得られることは勿論のこと、特に、指定手段により、記憶媒体に記憶された番組データの削除開始位置と削除終了位置とが指定され、削除手段により、指定手段に指定された番組データの削除開始位置から削除終了位置までが削除されるので、ユーザは、記憶媒体に記憶された番組データの所望の位置を削除開始位置又は削除終了位置として指定でき、より好適に、記憶媒体に記憶された番組データを編集することができる。
【００１２】
請求項４に記載の発明によれば、請求項３に記載の発明と同様の効果が得られることは勿論のこと、特に、削除位置記憶手段により、番組データのタイトルと指定手段によって指定された削除開始位置及び削除終了位置とが対応付けられて記憶され、編集指示手段により、一の番組データの編集が指示され、記憶判断手段により、編集指示手段によって、一の番組データの編集が指示された場合に、削除位置記憶手段が検索されて、当該一の番組データのタイトルと同一のタイトルに対応する削除開始位置及び削除終了位置が記憶されているか否かが判断され、編集手段により、記憶判断手段によって、削除位置記憶手段に、当該一の番組データのタイトルと同一のタイトルに対応する削除開始位置及び削除終了位置が記憶されていると判断された場合に、当該一の番組データの削除位置記憶手段に記憶された削除開始位置に相当する位置から削除位置記憶手段に記憶された削除終了位置に相当する位置までを削除することにより当該番組データが編集されるので、一の番組データのタイトルと同一タイトルの番組データが既に編集されている場合には、当該一の番組データをいちいち視聴せずとも編集することができることとなって、さらに効率よく番組データを編集することができる。
【発明を実施するための最良の形態】
【００１３】
以下、図を参照して、本発明に係る番組データ記録装置を実施するための最良の形態を詳細に説明する。なお、本実施形態では、番組データ記録装置としてデジタル放送記録装置を例に挙げて説明する。
【００１４】
まず、本発明に係るデジタル放送記録装置１００の構成について図１，図２を参照しながら説明する。本実施形態に係るデジタル放送記録装置１００は、例えば、図１，図２に示すように、アンテナ１，チューナ部２，復調部３，デコーダ４，エンコーダ５，ＨＤＤ６，編集部７，入力部８，通信部９，制御部１０等を備えて構成され、表示装置２００，音出力装置３００，ＤＶＤ記録装置４００等と接続されている。
【００１５】
アンテナ１は、例えば、パラボラアンテナやＵＨＦアンテナ等であり、地上波デジタル放送，ＢＳ・ＣＳ放送等のデジタル放送信号を含む放送波を受信し、地上波デジタル信号，ＢＳ・ＣＳ放送信号等のＲＦ信号をチューナ部２に出力する。なお、ＣＡＴＶ回線を介して放送を受信する場合には、接続ケーブル（図示省略）等が備えられてもよい。
【００１６】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００１７】
復調部３は、例えば、チューナ部２から入力されるデジタルデータに復調処理等を行って、デコーダ４に出力する。
【００１８】
デコーダ４は、例えば、復調部３から入力されるデジタルデータに復号処理等を行って映像データ，音声データを含む番組データを生成し、エンコーダ５，編集部７，表示装置２００，音出力装置３００等に出力する。
【００１９】
エンコーダ５は、例えば、デコーダ４からＣＰＵ１１を介して出力される番組データに符号化処理を行い、ＨＤＤ６に出力する。
【００２０】
ＨＤＤ６は、例えば、第１の記憶媒体としての磁気的記憶媒体等を備えて構成され、エンコーダ５から入力された番組データを記憶し、記憶媒体として機能する。
【００２１】
編集部７は、例えば、制御部１０からの制御信号に従って、番組データの所定部分を削除することにより編集する。
【００２２】
入力部８は、例えば、各種の操作信号を入力するための各種のキー等を備え、ユーザにより操作されることによって、各種の操作信号を制御部１０に出力する。
例えば、入力部８は、位置決定キー（図示省略）を備え、当該位置決定キーが押下されることにより、削除開始位置又は削除終了位置を指定する操作信号を制御部１０に出力し、指定手段として機能する。
また、入力部８は、例えば、削除編集キー（図示省略）を備え、当該削除編集キーが押下されることにより、番組データの削除開始位置から削除終了位置までを削除して編集する操作信号を制御部１０に出力する。
また、入力部８は、例えば、完了キー（図示省略）を備え、当該完了キーが押下されることにより、番組データの削除編集処理が完了されて当該削除編集動作を終了する操作信号を制御部１０に出力する。
また、入力部８は、例えば、未完キー（図示省略）を備え、当該未完キーが押下されることにより、番組データの削除編集処理が完了せずに当該削除編集動作を終了する操作信号を制御部１０に出力する。
また、入力部８は、例えば、一覧表示キー（図示省略）を備え、当該一覧表示キーが押下されることにより、ＨＤＤ６に記憶された番組データを一覧表示させる操作信号を制御部１０に出力し、指示手段として機能する。
また、入力部８は、ＨＤＤ６に記憶された一の番組データの編集を指示する操作信号を制御部１０に出力し、編集指示手段として機能する。
【００２３】
通信部９は、例えば、入出力端子等を備えて構成され、当該デジタル放送記録装置１００とＤＶＤ記録装置４００との間の通信を行う。
【００２４】
制御部１０は、例えば、図２に示すように、ＣＰＵ（Central  Processing  Unit）１１，ＲＡＭ（Random  Access  Memory）１２，記憶部１３等を備えて構成される。
【００２５】
ＣＰＵ１１は、例えば、記憶部１３に格納された処理プログラム等を読み出して、ＲＡＭ１２に展開して実行することにより、デジタル放送記録装置１００全体の制御を行う。
【００２６】
ＲＡＭ１２は、ＣＰＵ１１により実行された処理プログラム等を、ＲＡＭ１２内のプログラム格納領域に展開するとともに、入力データや上記処理プログラムが実行される際に生じる処理結果等をデータ格納領域に格納する。
【００２７】
記憶部１３は、例えば、プログラムやデータ等が予め記憶されている記憶媒体（図示せず）を有しており、この記憶媒体は、例えば、半導体メモリ等で構成されている。また、記憶部１３は、ＣＰＵ１１がデジタル放送記録装置１００全体を制御する機能を実現させるための各種データ，各種処理プログラム，これらプログラムの実行により処理されたデータ等を記憶する。より具体的には、記憶部１３は、例えば、図２に示すように、削除編集トレースデータファイル１３Ａ，トレース有無判断プログラム１３Ｂ，トレース記憶プログラム１３Ｃ，表示制御プログラム１３Ｄ，更新プログラム１３Ｅ，編集プログラム１３Ｆ，フラグ付加プログラム１３Ｇ，一覧表示プログラム１３Ｈ等を格納している。
【００２８】
削除編集トレースデータファイル１３Ａは、例えば、ＨＤＤ６に記憶させる番組データのタイトルと当該番組データの削除開始位置及び削除終了位置を含む削除編集トレースとを関連づけて記憶している。ここで、削除開始位置及び削除終了位置は、例えば、当該番組データの削除編集動作において、入力部８から入力される。記憶部１３は、かかる削除編集トレースデータファイル１３Ａを格納することにより、削除位置記憶手段として機能する。
【００２９】
トレース有無判断プログラム１３Ｂは、例えば、ＣＰＵ１１に、番組データの削除編集動作において、入力部８により、ＨＤＤ６に記憶された一の番組データの編集を指示する操作信号が入力された場合に、削除編集トレースデータファイル１３Ａを参照して、当該一の番組データのタイトルと同一のタイトルに対応する削除編集トレースが記憶されているか否かを判断する機能を実現させるプログラムである。ＣＰＵ１１は、かかるトレース有無判断プログラム１３Ｂを実行することにより、記憶判断手段として機能する。
【００３０】
トレース記憶プログラム１３Ｃは、例えば、ＣＰＵ１１に、番組データの削除編集動作において、入力部８から削除開始位置及び削除終了位置を指定する操作信号が入力され、入力部８の削除編集キー（図示省略）が押下された場合に、当該番組データのタイトルと当該削除開始位置及び削除終了位置を含む削除編集トレースとを削除編集トレースデータファイル１３Ａに記憶させる機能を実現させるプログラムである。
【００３１】
表示制御プログラム１３Ｄは、例えば、ＣＰＵ１１に、番組データの削除編集動作において、入力部８により、ＨＤＤ６に記憶された一の番組データの編集を指示する操作信号が入力され、トレース有無判断プログラム１３Ｂを実行することにより、削除編集トレースデータファイル１３Ａを参照して、当該一の番組データのタイトルと同一のタイトルに対応する削除編集トレースが記憶されていると判断した場合に、表示装置２００に、当該番組データの削除開始位置及び削除終了位置を表示させる機能を実現させるプログラムである。
表示装置２００に表示される番組データの削除開始位置及び削除終了位置の一例を図３に示す。図３において、番組データは、横軸が時間軸を表す帯グラフにより表示され、当該時間軸における削除開始位置及び削除終了位置が矢印により示されている。また、番組データの削除開始位置及び削除終了位置により挟まれた削除部分はハッチングにより示されるようになっている。
【００３２】
更新プログラム１３Ｅは、例えば、ＣＰＵ１１に、図３に示す番組データの削除開始位置及び削除終了位置の表示画面において、入力部８から当該削除開始位置又は削除終了位置を変更する操作信号が入力された場合に、削除編集トレースデータファイル１３Ａに記憶されている削除開始位置及び削除終了位置を変更後の削除開始位置及び削除終了位置に変更することにより、削除編集トレースを更新する機能を実現させるプログラムである。
より具体的には、ＣＰＵ１１は、更新プログラム１３Ｅを実行することにより、図３に示す番組データの削除開始位置及び削除終了位置の表示画面において、例えば、入力部８の矢印キーが操作されることにより、削除開始位置及び削除終了位置を示す矢印が移動された場合に、当該移動後の削除開始位置及び削除終了位置に基づいて削除編集トレースデータファイル１３Ａを更新する。
【００３３】
編集プログラム１３Ｆは、例えば、ＣＰＵ１１に、入力部８により指定された番組データの削除開始位置から削除終了位置までを削除することにより番組データを編集する機能を実現させるプログラムである。
より具体的には、編集プログラム１３Ｆは、例えば、ＣＰＵ１１に、番組データの削除編集動作において、入力部８により、ＨＤＤ６に記憶された一の番組データの編集を指示する操作信号が入力され、トレース有無判断プログラム１３Ｂを実行することにより、削除編集トレースデータファイル１３Ａに、当該一の番組データのタイトルと同一のタイトルに対応する削除編集トレースが記憶されていると判断され、入力部８の削除編集キー（図示省略）が押下された場合に、編集部７を制御して、当該番組データに対して、当該削除編集トレースとして記憶された削除開始位置に相当する位置から当該削除編集トレースとして記憶された削除終了位置に相当する位置までを削除する処理を行う機能を実現させるプログラムである。
また、編集プログラム１３Ｆは、例えば、ＣＰＵ１１に、番組データの削除編集動作において、入力部８により、ＨＤＤ６に記憶された一の番組データの編集を指示する操作信号が入力され、トレース有無判断プログラム１３Ｂを実行することにより、削除編集トレースデータファイル１３Ａに、当該一の番組データのタイトルと同一のタイトルに対応する削除編集トレースが記憶されていないと判断した場合に、入力部８から入力される削除開始位置及び削除終了位置が、トレース記憶プログラム１３Ｃを実行することにより削除編集トレースとして削除編集トレースデータファイル１３Ａに記憶され、入力部８の削除編集キーが押下された後に、編集部７を制御して、当該削除編集トレースに従って、当該番組データに対して削除編集処理を行う機能を実現させるプログラムである。
ＣＰＵ１１は、かかる編集プログラム１３Ｆを実行することにより、編集手段及び削除手段として機能する。
【００３４】
フラグ付加プログラム１３Ｇは、例えば、ＣＰＵ１１に、編集プログラム１３Ｆを実行することによる削除編集処理が完了した番組データに対応付けて編集完了情報としての完了フラグを付加してＨＤＤ６に記憶させ、編集プログラム１３Ｆを実行することによる削除編集処理が完了していない番組データに対応付けて編集未完情報としての未完フラグを付加してＨＤＤ６に記憶させる機能を実現させるプログラムである。
より具体的には、フラグ付加プログラム１３Ｇは、例えば、ＣＰＵ１１に、番組データの削除編集動作において、入力部８の削除編集キー（図示省略）が押下されて、編集プログラム１３Ｆを実行し、番組データの削除編集動作を行い、入力部８の完了キー（図示省略）が押下されて、当該削除編集動作を終了する場合に、当該番組データに完了フラグを付加してＨＤＤ６に記憶させる機能を実現させるプログラムである。
また、フラグ付加プログラム１３Ｇは、例えば、ＣＰＵ１１に、番組データの削除編集動作において、入力部８の未完キー（図示省略）が押下されて、編集プログラム１３Ｆを実行することによる削除編集動作が完了せずに当該削除編集動作を終了する場合に、当該番組データに対応付けて未完フラグを付加してＨＤＤ６に記憶させる機能を実現させるプログラムである。
ＣＰＵ１１は、かかるフラグ付加プログラム１３Ｇを実行することにより、付加手段として機能する。
【００３５】
一覧表示プログラム１３Ｈは、例えば、ＣＰＵ１１に、入力部８からＨＤＤ６に記憶されている番組データの一覧表示を指示する操作信号が入力された場合に、番組データに完了フラグ又は未完フラグが付加されているか否かを判断し、表示装置２００を制御して、ＤＶＤ６に記憶されている番組データのタイトルを一覧表示させる際に、完了フラグが付加されている場合には、当該番組データのタイトルとともに編集が完了している旨を示す所定の編集完了表示を表示させ、未完フラグが付加されている場合には、当該番組データのタイトルとともに編集が未完了である旨を示す所定の編集未完表示を表示させ、完了フラグ及び未完フラグの何れも付加されていない場合には、当該番組データのタイトルのみを表示させる機能を実現させるプログラムである。ＣＰＵ１１は、かかる一覧表示プログラム１３Ｈを実行することにより、表示制御手段として機能する。
【００３６】
表示装置２００は、例えば、ＬＣＤ（Liquid  Crystal  Display）やＰＤＰ（Plasma  Display  Panel）等の表示部等を備えて構成され、デコーダ４から出力される映像データに基づく映像を表示部に表示する。
【００３７】
音出力装置３００は、例えば、スピーカ等を備えて構成され、デコーダ４から出力される音声データに基づく音声を出力する。
【００３８】
ＤＶＤ記録装置４００は、例えば、ＤＶＤレコーダ等であり、デジタル放送記録装置１００から送信された番組データをＤＶＤに記憶する。
【００３９】
次に、上述のような構成のデジタル放送記録装置１００の削除編集動作について図４，図５に示すフローチャートを参照しながら説明する。
まず、入力部８から、番組編集モードを選択する操作信号が入力され、ＨＤＤ６に記憶された一の番組データの編集を指示する操作信号が入力されると（ステップＳ１）、ＣＰＵ１１は、トレース有無判断プログラム１３Ｂを実行することにより、削除編集トレースデータファイル１３Ａを参照して、当該一の番組データのタイトルと同一のタイトルに対応する削除編集トレースが記憶されているか否かを判断する（ステップＳ２）。
【００４０】
ステップＳ２において、ＣＰＵ１１が、削除編集トレースデータファイル１３Ａを参照して、当該一の番組データのタイトルと同一のタイトルに対応する削除編集トレースが記憶されていないと判断した場合には（ステップＳ２；Ｎｏ）、ＣＰＵ１１は、当該一の番組データを再生するとともに（ステップＳ３）、入力部８から削除開始位置を指定する操作信号が入力されたか否かを判断する（ステップＳ４）。
【００４１】
ステップＳ４において、ＣＰＵ１１が、入力部８から削除開始位置を指定する操作信号が入力されていないと判断した場合には（ステップＳ４；Ｎｏ）、ステップＳ４の処理を繰り返す。
ステップＳ４において、ＣＰＵ１１が、入力部８から削除開始位置を指定する操作信号が入力されたと判断した場合には（ステップＳ４；Ｙｅｓ）、ＣＰＵ１１は、当該削除開始位置をＲＡＭ１２に一時的に記憶する（ステップＳ５）。
【００４２】
次に、ＣＰＵ１１は、入力部８から削除終了位置を指定する操作信号が入力されたか否かを判断する（ステップＳ６）。
【００４３】
ステップＳ６において、ＣＰＵ１１が、入力部８から削除終了位置を指定する操作信号が入力されていないと判断した場合には（ステップＳ６；Ｎｏ）、ステップＳ６の処理を繰り返す。
ステップＳ６において、ＣＰＵ１１が、入力部８から削除終了位置を指定する操作信号が入力されたと判断した場合には（ステップＳ６；Ｙｅｓ）、ＣＰＵ１１は、当該削除終了位置をＲＡＭ１２に一時的に記憶する（ステップＳ７）。
【００４４】
次に、ＣＰＵ１１は、入力部８の削除編集キー（図示省略）が押下されたか否かを判断する（ステップＳ８）。
【００４５】
ステップＳ８において、ＣＰＵ１１が、入力部８の削除編集キー（図示省略）が押下されなかったと判断した場合には（ステップＳ８；Ｎｏ）、ステップＳ４に戻る。
ステップＳ８において、ＣＰＵ１１が、入力部８の削除編集キー（図示省略）が押下されたと判断した場合には（ステップＳ８；Ｙｅｓ）、ＣＰＵ１１は、トレース記憶プログラム１３Ｃを実行することにより、番組データのタイトルと削除開始位置及び削除終了位置を含む削除編集トレースとを削除編集トレースデータファイル１３Ａに記憶させる（ステップＳ９）。
【００４６】
次に、ＣＰＵ１１は、編集プログラム１３Ｆを実行することにより、当該削除編集トレースに従って、当該番組データに対して削除編集処理を行う（ステップＳ１０）。
【００４７】
次に、ＣＰＵ１１は、入力部８の完了キー（図示省略）が押下されたか否かを判断する（ステップＳ１１）。
【００４８】
ステップＳ１１において、ＣＰＵ１１が、入力部８の完了キーが押下されなかったと判断した場合には（ステップＳ１１；Ｎｏ）、ＣＰＵ１１は、入力部８の未完キー（図示省略）が押下されたか否かを判断する（ステップＳ１２）。
【００４９】
ステップＳ１２において、ＣＰＵ１１が、入力部８の未完キーが押下されなかったと判断した場合には（ステップＳ１２；Ｎｏ）、ステップＳ４に戻る。
ステップＳ１２において、ＣＰＵ１１が、入力部８の未完キーが押下されたと判断した場合には（ステップＳ１２；Ｙｅｓ）、ＣＰＵ１１は、フラグ付加プログラム１３Ｇを実行することにより、番組データに対応付けて未完フラグを付加してＨＤＤ６に記憶させ（ステップＳ１３）、本処理を終了する。
【００５０】
ステップＳ１１において、ＣＰＵ１１が、入力部８の完了キーが押下されたと判断した場合には（ステップＳ１１；Ｙｅｓ）、ＣＰＵ１１は、フラグ付加プログラム１３Ｇを実行することにより、番組データに対応付けて完了フラグを付加してＨＤＤ６に記憶させ（ステップＳ１４）、本処理を終了する。
【００５１】
ステップＳ２において、ＣＰＵ１１が、削除編集トレースデータファイル１３Ａを参照して、当該一の番組データのタイトルと同一のタイトルに対応する削除編集トレースが記憶されていると判断した場合には（ステップＳ２；Ｙｅｓ）、ＣＰＵ１１は、表示制御プログラム１３Ｄを実行することにより、表示装置２００に、例えば、図３に示す番組データの削除開始位置及び削除終了位置の表示画面を表示させる（ステップＳ１５）。
【００５２】
次に、ＣＰＵ１１は、図３に示す番組データの削除開始位置及び削除終了位置の表示画面において、入力部８から当該削除開始位置又は削除終了位置を変更する操作信号が入力されたか否かを判断する（ステップＳ１６）。
【００５３】
ステップＳ１６において、ＣＰＵ１１が、入力部８から当該削除開始位置又は削除終了位置を変更する操作信号が入力されなかったと判断した場合には（ステップＳ１６；Ｎｏ）、ステップＳ１８に進む。
ステップＳ１６において、ＣＰＵ１１が、入力部８から当該削除開始位置又は削除終了位置を変更する操作信号が入力されたと判断した場合には（ステップＳ１６；Ｙｅｓ）、ＣＰＵ１１は、更新プログラム１３Ｅを実行することにより、削除編集トレースデータファイル１３Ａに記憶されている削除開始位置及び削除終了位置を変更後の削除開始位置及び削除終了位置に変更することにより、削除編集トレースを更新する（ステップＳ１７）。
【００５４】
次に、ＣＰＵ１１は、入力部８の削除編集キー（図示省略）が押下されたか否かを判断する（ステップＳ１８）。
【００５５】
ステップＳ１８において、ＣＰＵ１１が、入力部８の削除編集キー（図示省略）が押下されなかったと判断した場合には（ステップＳ１８；Ｎｏ）、ＣＰＵ１１は、ステップＳ１６に戻る。
ステップＳ１８において、ＣＰＵ１１が、入力部８の削除編集キー（図示省略）が押下されたと判断した場合には（ステップＳ１８；Ｙｅｓ）、ＣＰＵ１１は、編集プログラム１３Ｆを実行することにより、当該番組データに対して、当該削除編集トレースとして記憶された削除開始位置に相当する位置から当該削除編集トレースとして記憶された削除終了位置に相当する位置までを削除する削除編集処理を行う（ステップＳ１９）。
【００５６】
次に、ＣＰＵ１１は、入力部８の完了キー（図示省略）が押下されたか否かを判断する（ステップＳ２０）。
【００５７】
ステップＳ２０において、ＣＰＵ１１が、入力部８の完了キーが押下されなかったと判断した場合には（ステップＳ２０；Ｎｏ）、ＣＰＵ１１は、入力部８の未完キー（図示省略）が押下されたか否かを判断する（ステップＳ２１）。
【００５８】
ステップＳ２１において、ＣＰＵ１１が、入力部８の未完キーが押下されなかったと判断した場合には（ステップＳ２１；Ｎｏ）、ステップＳ１６に戻る。
ステップＳ２１において、ＣＰＵ１１が、入力部８の未完キーが押下されたと判断した場合には（ステップＳ２１；Ｙｅｓ）、ＣＰＵ１１は、フラグ付加プログラム１３Ｇを実行することにより、番組データに対応付けて未完フラグを付加してＨＤＤ６に記憶させ（ステップＳ２２）、本処理を終了する。
【００５９】
ステップＳ２０において、ＣＰＵ１１が、入力部８の完了キーが押下されたと判断した場合には（ステップＳ２０；Ｙｅｓ）、ＣＰＵ１１は、フラグ付加プログラム１３Ｇを実行することにより、番組データに対応付けて完了フラグを付加してＨＤＤ６に記憶させ（ステップＳ２３）、本処理を終了する。
【００６０】
次に、本発明に係るデジタル放送記録装置１００の一覧表示動作について図６に示すフローチャートを参照しながら説明する。
まず、入力部８の一覧表示キー（図示省略）が押下されて、ＨＤＤ６に記憶されている番組データの一覧表示を指示する操作信号が入力されると（ステップＳ１０１）、ＣＰＵ１１は、一覧表示プログラム１３Ｈを実行することにより、番組データに完了フラグが付加されているか否かを判断する（ステップＳ１０２）。
【００６１】
ステップＳ１０２において、ＣＰＵ１１が、番組データに完了フラグが付加されていないと判断した場合には（ステップＳ１０２；Ｎｏ）、ＣＰＵ１１は、番組データに未完フラグが付加されているか否かを判断する（ステップＳ１０３）。
【００６２】
ステップＳ１０３において、ＣＰＵ１１が、番組データに未完フラグが付加されていないと判断した場合には（ステップＳ１０３；Ｎｏ）、ＣＰＵ１１は、表示装置２００を制御して、ＤＶＤ６に記憶されている番組データのタイトルを一覧表示させる際に、当該番組データのタイトルのみを表示させる（ステップＳ１０４）。
ステップＳ１０３において、ＣＰＵ１１が、番組データに未完フラグが付加されていると判断した場合には（ステップＳ１０３；Ｙｅｓ）、ＣＰＵ１１は、表示装置２００を制御して、ＤＶＤ６に記憶されている番組データのタイトルを一覧表示させる際に、当該番組データのタイトルとともに編集が未完了である旨を示す所定の編集未完表示を表示させる（ステップＳ１０５）。
【００６３】
ステップＳ１０２において、ＣＰＵ１１が、番組データに完了フラグが付加されていると判断した場合には（ステップＳ１０２；Ｙｅｓ）、ＣＰＵ１１は、表示装置２００を制御して、ＤＶＤ６に記憶されている番組データのタイトルを一覧表示させる際に、当該番組データのタイトルとともに編集が完了している旨を示す所定の編集完了表示を表示させる（ステップＳ１０６）。
【００６４】
以上に説明した本実施形態に係るデジタル放送記録装置１００によれば、入力部８により、ＨＤＤ６に記憶された番組データの削除開始位置と削除終了位置とが指定され、ＣＰＵ１１が編集プログラム１３Ｆを実行することにより、入力部８に指定された番組データの削除開始位置から削除終了位置までが削除されることにより番組データが編集されるので、ユーザは、ＨＤＤ６に記憶された番組データの所望の位置を削除開始位置又は削除終了位置として指定でき、より好適に、ＨＤＤ６に記憶された番組データを編集することができる。
また、ＣＰＵ１１がフラグ付加プログラム１３Ｇを実行することにより、編集プログラム１３Ｆを実行することによる編集が完了した番組データに対応付けて完了フラグが付加され、編集プログラム１３Ｆを実行することによる編集が完了していない番組データに対応付けて未完フラグが付加され、入力部８により、ＨＤＤ６に記憶されている番組データのタイトルの一覧表示が指示され、ＣＰＵ１１が一覧表示プログラム１３Ｈを実行することにより、入力部８によって、ＨＤＤ６に記憶されている番組データのタイトルの一覧表示が指示された場合に、番組データに完了フラグと未完フラグとのどちらが付加されているか否かが判断され、表示装置２００にＨＤＤ６に記憶されている番組データのタイトルを一覧表示させる際に、完了フラグが付加されている番組データのタイトルとともに編集が完了している旨を示す所定の編集完了表示が表示されるとともに、未完フラグが付加されている番組データのタイトルとともに編集が未完了である旨を示す所定の編集未完表示が表示されるので、編集したか否かをいちいち視聴して確認せずとも、一覧表示を視認するだけで、番組データが編集後か否かをより容易に区別することができる。
また、削除編集トレースデータファイル１３Ａにより、番組データのタイトルと入力部８により指定された削除開始位置及び削除終了位置とが対応付けられて記憶され、入力部８により、一の番組データの編集が指示され、ＣＰＵ１１がトレース有無判断プログラム１３Ｂを実行することにより、入力部８によって、一の番組データの編集が指示された場合に、削除編集トレースデータファイル１３Ａが検索されて、当該一の番組データのタイトルと同一のタイトルに対応する削除開始位置及び削除終了位置が記憶されているか否かが判断され、ＣＰＵ１１が編集プログラム１３Ｆを実行することにより、トレース有無判断プログラム１３Ｂを実行することによって、削除編集トレースデータファイル１３Ａに、当該一の番組データのタイトルと同一のタイトルに対応する削除開始位置及び削除終了位置が記憶されていると判断された場合に、当該一の番組データの削除編集トレースデータファイル１３Ａに記憶された削除開始位置に相当する位置から削除編集トレースデータファイル１３Ａに記憶された削除終了位置に相当する位置までが削除されることにより当該番組データが編集されるので、一の番組データのタイトルと同一タイトルの番組データが既に編集されている場合には、当該一の番組データをいちいち視聴せずとも編集することができることとなって、さらに効率よく番組データを編集することができる。
【００６５】
なお、本実施形態では、本発明に係る編集として番組データの所定部分の削除を例示したが、これに限られるものではなく、例えば、画質調整，番組データの所定部分のデータの移動等であってもよい。
また、ＤＶＤ記憶装置は、デジタル放送記録装置と一体的に構成されていてもよい。
また、上記実施の形態においては、入力部８に完了キー，未完キーを備える構成としたが、例えば、表示装置２００に表示された全削除アイコンをクリックすることにより、全削除を指示する構成であってもよい。
また、記憶媒体はＨＤＤ６に限定されるものではなく、番組データを記憶できるものであればなんであってもよく、例えば、ＤＶＤ等であってもよい。
また、デジタル放送記録装置１００と表示装置２００及び音出力装置３００とが一体的に構成されてもよい。
また、記憶媒体に記憶されるデータは、デジタル放送の番組データに限られず、アナログ放送の番組データであってもよいし、他の映像再生装置等の外部機器から入力される映像データ等であってもよい。
【図面の簡単な説明】
【００６６】
【図１】本発明に係るデジタル放送記録装置の概略構成を示す図である。
【図２】本発明に係るデジタル放送記録装置の構成を示すブロック図である。
【図３】本発明に係る番組データの削除編集トレースの一例を説明する図である。
【図４】本発明に係るデジタル放送記録装置の削除編集動作の一例を説明するフローチャートである。
【図５】本発明に係るデジタル放送記録装置の削除編集動作の一例を説明するフローチャートである。
【図６】本発明に係るデジタル放送記録装置の一覧表示動作の一例を説明するフローチャートである。
【符号の説明】
【００６７】
６  ＨＤＤ（記憶媒体）
８  入力部（指定手段，指示手段，編集指示手段）
１１  ＣＰＵ（記憶判断手段，編集手段，削除手段，付加手段，表示制御手段）
１３  記憶部（削除位置記憶手段）
１３Ａ  削除編集トレースデータファイル（削除位置記憶手段）
１３Ｂ  トレース有無判断プログラム（記憶判断手段）
１３Ｆ  編集プログラム（編集手段，削除手段）
１３Ｇ  フラグ付加プログラム（付加手段）
１３Ｈ  一覧表示プログラム（表示制御手段）
１００  デジタル放送記録装置（番組データ記録装置）
２００  表示装置（表示部）
【図１】
2008077710.tif 000003
【図２】
2008077710.tif 000004
【図３】
2008077710.tif 000005
【図４】
2008077710.tif 000006
【図５】
2008077710.tif 000007
【図６】
2008077710.tif 000008